(57)【要約】【課題】機器認証コードの設定の失念等により機器認証コードが未設定であるために電気錠システムが正常に動作しないといった事態が生じることを防止すると共に、不正に取得された機器認証コードを利用した電気錠の不正解錠を抑制する。【解決手段】制御部３は、操作盤７から送信された解錠指令を受信したとき、解錠指令に付加された機器認証コードを用いて操作盤７の認証を行う。また、制御部３は、電気錠２の解錠動作および扉８の開扉を検出したとき、前回生成した機器認証コードと異なる機器認証コードを生成し、これを制御部３のメモリ１６に記憶すると共に操作盤７に送信し、操作盤７は制御部３から送信された機器認証コードをメモリ３２に記憶する。これにより、電気錠２を解錠動作させて扉８を開けるだけで、機器認証コードの設定が自動的に行われ、また、電気錠２を解錠動作させて扉８を開ける度に、機器認証コードが変更される。【選択図】図１
2011196076.tif 000002
【特許請求の範囲】
【請求項１】
扉を施錠する電気錠と、前記電気錠を制御する制御部と、前記制御部を介して前記電気錠を操作する操作部とを備え、前記操作部は、機器認証コードを記憶する第１の記憶手段と、前記第１の記憶手段に記憶された機器認証コードを全部または一部の指令に付加し、当該機器認証コードが付加された指令を前記制御部へ送信する指令送信手段とを備え、前記制御部は、前記機器認証コードを記憶する第２の記憶手段と、前記操作部から送信された指令を受信し、当該指令に機器認証コードが付加されている場合には、当該指令に付加された機器認証コードと前記第２の記憶手段に記憶された機器認証コードとを照合して両者が一致したときに、当該指令に従って前記電気錠の制御処理を行う制御処理手段とを備えた電気錠システムであって、
前記制御部は、
前記電気錠の解錠動作および前記扉の開扉を検出する検出手段と、
前記第２の記憶手段に記憶された機器認証コードを変更するコード変更手段と、
前記検出手段により前記電気錠の解錠動作および前記扉の開扉が検出されたとき、前記コード変更手段により変更された機器認証コードを前記操作部へ送信するコード送信手段とをさらに備え、
前記操作部は、前記制御部から送信された機器認証コードを受信し、当該機器認証コードを前記第１の記憶手段に記憶させるコード受信手段をさらに備えていることを特徴とする電気錠システム。
【請求項２】
前記コード変更手段は、前記検出手段により前記電気錠の解錠動作および前記扉の開扉が検出されたときに、前記第２の記憶手段に既に記憶されている機器認証コードとは異なる機器認証コードを生成し、当該生成した機器認証コードを前記第２の記憶手段に記憶することを特徴とする請求項１に記載の電気錠システム。
【請求項３】
前記制御部は、前記第２の記憶手段に記憶された機器認証コードを、前記コード送信手段により送信する場合以外には、特別な要求指令がない限り、前記操作部へ送信しないことを特徴とする請求項１または２に記載の電気錠システム。
【発明の詳細な説明】
【技術分野】
【０００１】
本発明は、電気錠、制御部および操作部を備え、操作部からの指令に従って制御部により電気錠を制御する電気錠システムに関する。
【背景技術】
【０００２】
一般に、電気錠システムは、建造物の扉等を施錠する電気錠と、電気錠を制御する制御部と、制御部を介して電気錠を操作する操作部とを備えている（特許文献１参照）。電気錠はソレノイドまたはモータ等を備え、制御部から出力される制御信号に従ってソレノイドまたはモータ等を駆動させることにより扉等の施解錠を行う。制御部は、操作部からの指令に従って電気錠を施解錠動作させるための制御信号を電気錠に出力する。
【０００３】
操作部は、屋内に設けられ、操作スイッチや表示器等を有し、屋内にいる者が操作スイッチを押したとき、電気錠を施解錠動作させるための指令を制御部に送信する。また、屋外において扉または扉の近傍に設けられ、カードリーダ、電波受信機、またはテンキー等を有し、ＩＣカード、携帯機器等から送信された認証情報を受信したとき、またはテンキー等により暗証番号が入力されたときに、電気錠を施解錠動作させるための指令を制御部に送信する機能を有するものも操作部に含まれる。
【０００４】
制御部と操作部とは互いに離れた位置に配置され、両者はケーブル等を用いて電気的に接続されており、両者間の通信はこのケーブル等を介して行われる。多くの場合、制御部が操作部に向けて短い周期で定期的に問い合わせを行い、操作部がこの問い合わせに対して返答する。例えば、屋内にいる者が電気錠を解錠動作させるために操作部の操作スイッチを押した場合、操作部は、制御部からの問い合わせに対する返答として、電気錠を解錠動作させる指令を制御部に送信する。制御部はこの指令に応じ、電気錠を解錠動作させるための制御信号を電気錠に出力する。これにより、電気錠は扉等を解錠する。
【０００５】
また、電気錠システムを構成しない他の機器（以下、これを「外部機器」という。）を制御部に接続し、当該外部機器から制御部に偽の指令を送信して制御部を制御し、電気錠を不正に解錠するといった行為の抑制等を図るために、電気錠システムの多くは、制御部と操作部との間で通信を行うに当たり機器認証を行う。例えば、制御部および操作部に共通の機器認証コードをそれぞれ記憶しておき、操作部から制御部へ、あるいは制御部から操作部へ指令等を送信する際に、当該指令等に常に機器認証コードを付加して送信する。この指令等を受信した制御部または操作部は、受信した指令等に付加されている機器認証コードと自らに記憶されている機器認証コードとを照合し、両者が一致したときに限り、当該指令等を受け入れる。
【先行技術文献】
【特許文献】
【０００６】
【特許文献１】特開２００９−０４４５２４号公報
【発明の概要】
【発明が解決しようとする課題】
【０００７】
ところで、建造物の部屋に設けられた扉の施錠を行うために電気錠システムを新たに導入し、その電気錠システムを初めて稼働しようとする際には、制御部および操作部に、共通の機器認証コードをそれぞれ設定する必要がある。従来の電気錠システムでは、例えば、制御部内のメモリに予め定められた機器認証コードを予め記憶しておき、作業員が所定の設定操作を手動で行うことにより、制御部内のメモリに記憶された機器認証コードを制御部から操作部に送信し、操作部が制御部から受信した機器認証コードを操作部内のメモリに記憶するといった方法で、制御部および操作部に共通の機器認証コードを設定している。
【０００８】
しかしながら、機器認証コードの設定を作業員が手動で行うため、作業員が機器認証コードの設定をし忘れてしまうことがある。特に、オフィスビルやホテル、マンションの多数の部屋のそれぞれに電気錠システムを導入する場合には、多数の部屋ごとに機器認証コードの設定作業を行わなければならないので、作業員が機器認証コードの設定をし忘れてしまうことは実際によく起こっている。機器認証コードの設定をし忘れて、機器認証コードが未設定のまま電気錠システムを稼働すると、電気錠システムが正常に動作しない。
【０００９】
また、従来の電気錠システムでは、機器認証コードの設定操作が複雑である。すなわち、従来の電気錠システムでは、例えば、まず電気錠を手動で解錠し、次に扉を開け、次に扉を閉め、次に電気錠を手動で施錠するといった複数の操作をこの順序で連続的に行うことにより、制御部から操作部へ機器認証コードが送信され、この機器認証コードが操作部内のメモリに記憶されて機器認証コードの設定が完了するといった方法が採用されている。このため、機器認証コードの設定に手間がかかる。また、この設定操作の煩わしさが、設定の失念を引き起こしているとも考えられる。
【００１０】
また、従来の電気錠システムでは、電気錠システムを初めて稼働した際に設定した機器認証コードが、それ以降、例えば故障の発生や部屋の改装等のために操作部や制御部を新品の操作部や制御部に交換する等の事態が生じない限り、通常変更されない。このため、不正に取得された機器認証コードを利用した電気錠の不正解錠を許してしまうおそれがある。例えば、外部機器を制御部または操作部に接続し、制御部または操作部から送信される指令等に付加された機器認証コードを当該外部機器により不正に取得し、その不正取得した機器認証コードを利用して制御部を制御することにより、電気錠を不正解錠するといった行為を許してしまう可能性がある。
【００１１】
本発明は例えば上述したような問題に鑑みなされたものであり、本発明の第１の課題は、機器認証コードの設定の失念等により機器認証コードが未設定であるために電気錠システムが正常に動作しないといった事態が生じることを防止することができる電気錠システムを提供することにある。
【００１２】
また、本発明の第２の課題は、たとえ機器認証コードが不正に取得されたとしても、その機器認証コードを利用した電気錠の不正解錠を抑制することができる電気錠システムを提供することにある。
【課題を解決するための手段】
【００１３】
上記課題を解決するために、本発明の第１の電気錠システムは、扉を施錠する電気錠と、前記電気錠を制御する制御部と、前記制御部を介して前記電気錠を操作する操作部とを備え、前記操作部は、機器認証コードを記憶する第１の記憶手段と、前記第１の記憶手段に記憶された機器認証コードを全部または一部の指令に付加し、当該機器認証コードが付加された指令を前記制御部へ送信する指令送信手段とを備え、前記制御部は、前記機器認証コードを記憶する第２の記憶手段と、前記操作部から送信された指令を受信し、当該指令に機器認証コードが付加されている場合には、当該指令に付加された機器認証コードと前記第２の記憶手段に記憶された機器認証コードとを照合して両者が一致したときに、当該指令に従って前記電気錠の制御処理を行う制御処理手段とを備えた電気錠システムであって、前記制御部は、前記電気錠の解錠動作および前記扉の開扉を検出する検出手段と、前記第２の記憶手段に記憶された機器認証コードを変更するコード変更手段と、前記検出手段により前記電気錠の解錠動作および前記扉の開扉が検出されたとき、前記コード変更手段により変更された機器認証コードを前記操作部へ送信するコード送信手段とをさらに備え、前記操作部は、前記制御部から送信された機器認証コードを受信し、当該機器認証コードを前記第１の記憶手段に記憶させるコード受信手段をさらに備えていることを特徴とする。
【００１４】
本発明の第１の電気錠システムによれば、電気錠の解錠動作が行われて扉が開くといった日常的に普通に行われる動作が行われたときに、制御部から操作部へ機器認証コードが自動的に送信され、当該機器認証コードが操作部に自動的に設定されるので、機器認証コードが未設定であるために電気錠システムが正常に動作しないといった不都合を確実になくすことができる。また、電気錠の解錠動作が行われて扉が開くといった日常的に普通に行われる動作が行われる度に、新しい機器認証コードが制御部から操作部に送信され、操作部の第１の記憶手段に記憶された機器認証コードが更新されるので、機器認証コードが過去に不正に取得されたとしても、当該不正取得された機器認証コードが用いられて電気錠が不正解錠されることを抑制することができる。
【００１５】
また、本発明の第２の電気錠システムは、上述した本発明の第１の電気錠システムにおいて、前記コード変更手段は、前記検出手段により前記電気錠の解錠動作および前記扉の開扉が検出されたときに、前記第２の記憶手段に既に記憶されている機器認証コードとは異なる機器認証コードを生成し、当該生成した機器認証コードを前記第２の記憶手段に記憶することを特徴とする。
【００１６】
本発明の第２の電気錠システムによれば、電気錠の解錠動作および扉の開扉が行われる度に、制御部において新しい機器認証コードが生成され、この新しい機器認証コードが操作部に送信され、この新しい機器認証コードを用いて操作部において機器認証コードが更新されるので、操作部から制御部へ送信する指令に付加される機器認証コードはほぼ常に未知のコードとなる。これにより、過去に不正取得された機器認証コードが用いられて電気錠が不正解錠されることを効果的に抑制することができる。
【００１７】
本発明の第３の電気錠システムは、上述した本発明の第１または第２の電気錠システムにおいて、前記制御部は、前記第２の記憶手段に記憶された機器認証コードを、前記コード送信手段により送信する場合以外には、特別な要求指令がない限り、前記操作部へ送信しないことを特徴とする。
【００１８】
本発明の第３の電気錠システムによれば、制御部と操作部との間で機器認証コードが通信される頻度を減らすことができ、機器認証コードが不正に取得されて外部に漏洩するのを抑制することができる。
【発明の効果】
【００１９】
本発明によれば、機器認証コードの設定の失念等により機器認証コードが未設定であるために電気錠システムが正常に動作しないといった事態が生じることを防止することができる。また、本発明によれば、たとえ機器認証コードが不正に取得されたとしても、その機器認証コードを利用した電気錠の不正解錠を抑制することができる。
【図面の簡単な説明】
【００２０】
【図１】本発明の実施形態による電気錠システムを示す説明図である。
【図２】制御部と操作盤との間の通信を示すタイミングチャートである。
【図３】機器認証コードの設定・更新処理を示すタイミングチャートである。
【発明を実施するための形態】
【００２１】
以下、本発明の実施形態について添付図面を参照しながら説明する。図１は本発明の実施形態による電気錠システムを示している。図１において、本発明の実施形態による電気錠システム１は、電気錠２および制御部３を共に筐体４に収容することにより構成された電気錠ユニット５と、カードリーダユニット６と、操作盤７とを備えている。電気錠システム１は、カードリーダユニット６または操作盤７からの指令に従って制御部３により電気錠２を制御し、建造物の部屋の扉８を施錠するシステムである。
【００２２】
電気錠２はデッドボルト１１および錠駆動機構１２を備え、錠駆動機構１２は、制御部３から出力される制御信号に従って駆動するソレノイドまたはモータを備えている。
【００２３】
制御部３は、カードリーダユニット６および操作盤７からの指令に従って電気錠２を制御する装置である。制御部３は、ＣＰＵ（Ｃｏｎｔｒｏｌ  Ｐｒｏｃｅｓｓｉｎｇ  Ｕｎｉｔ）１５、メモリ１６、通信インタフェース（Ｉ／Ｆ）部１７、制御インタフェース部１８、施解錠センサ１９、扉開閉センサ２０およびカウンタ２１を備えている。
【００２４】
ＣＰＵ１５は、制御部３を構成する他の構成要素１６〜２１の制御、カードリーダユニット６および操作盤７との通信制御、および電気錠２の施解錠制御等を行うと共に、後述するように、特定指令に付加された機器認証コードの照合処理を行う。また、ＣＰＵ１５は、後述するように、施解錠センサ１９および扉開閉センサ２０を介して電気錠２の解錠動作および扉８の開扉を検出したとき、機器認証コードの設定・更新処理を行う。メモリ１６は例えばフラッシュメモリ等の書換可能な不揮発性メモリである。メモリ１６には、制御部３と操作盤７との間の機器認証に用いられる機器認証コードが記憶される。通信インタフェース部１７は、制御部３とカードリーダユニット６との間、および制御部３と操作盤７との間を通信可能に接続するインタフェース回路である。制御インタフェース部１８は、制御部３から電気錠２へ制御信号を伝達するために両者間を接続するインタフェース回路である。施解錠センサ１９は電気錠２の施錠動作および解錠動作を検出するセンサである。扉開閉センサ２０は扉８の開扉および閉扉を検出するセンサである。カウンタ２１は、電気錠２の解錠動作が行われると共に扉８が開扉されたことを、施解錠センサ１９および扉開閉センサ２０の検出結果に基づいてカウントするカウンタである。
【００２５】
また、制御部３は電気錠２と共に共通の筐体４に収容されている。そして、筐体４は扉８の内部または扉８における屋内側の表面に取り付けられている。なお、ＣＰＵ１５が制御処理手段、コード変更手段およびコード送信手段の具体例であり、メモリ１６が第２の記憶手段の具体例であり、施解錠センサ１９および扉開閉センサ２０が検出手段の具体例である。
【００２６】
カードリーダユニット６は、屋外から扉８の施解錠を操作する装置である。すなわち、カードリーダユニット６は、鍵として機能するＩＣカードから鍵認証コードを読み取り、この読み取った鍵認証コードと、内部のメモリに予め記憶された鍵認証コードとを照合し、両者が一致した場合に限り、電気錠２を施解錠動作させるための指令等を制御部３に送信する。カードリーダユニット６は、ＣＰＵ、メモリ、カードリーダおよび通信インタフェース部（いずれも図示せず）を備えている。
【００２７】
操作盤７は、屋内から扉８の施解錠を操作する装置であり、ＣＰＵ３１、メモリ３２、操作インタフェース部３３および通信インタフェース部３４を備えている。屋内にいる者が操作盤７に設けられた操作スイッチ（図示せず）を押すと、操作盤７は、これに応じて、電気錠２を施解錠動作させるための指令等を制御部３に送信する。また、操作盤７は、扉８の施解錠状態等を表示する表示部（図示せず）を有し、屋内にいる者に扉の施解錠状態等を確認させる機能を持っている。なお、操作盤７が操作部の具体例である。
【００２８】
ＣＰＵ３１は、操作盤７を構成する他の構成要素３２〜３４等の制御、制御部３およびカードリーダユニット６との通信制御、扉８の施解錠状態の表示制御等を行う。メモリ３２は例えばフラッシュメモリ等の書換可能な不揮発性メモリである。メモリ３２には、後述する機器認証コードの設定・更新処理において制御部３から送信された機器認証コードが記憶される。操作インタフェース部３３は、操作盤７に設けられた図示しない操作スイッチとＣＰＵ３１との間を接続し、操作スイッチの操作入力をＣＰＵ３１に伝達するためのインタフェース回路である。通信インタフェース部３４は、操作盤７と制御部３との間、および操作盤７とカードリーダユニット６との間を通信可能に接続するインタフェース回路である。また、操作盤７は例えば屋内の壁面等に取り付けられている。なお、ＣＰＵ３１が指令送信手段およびコード受信手段の具体例であり、メモリ３２が第１の記憶手段の具体例である。
【００２９】
制御部３、カードリーダユニット６および操作盤７は、それぞれ相互に通信可能となるようにケーブル９を介して接続されている。また、制御部３と電気錠２とは筐体４内において相互に電気的に接続されている。
【００３０】
このような構成を有する電気錠システム１は次のように動作する。まず、屋内からの施解錠動作について説明すると、屋内にいる者が、操作盤７の操作スイッチを押し、扉８を施錠する旨の指示を入力すると、操作盤７は施錠指令を制御部３に送信する。施錠指令を受信した制御部３は施錠制御信号を電気錠２に出力し、電気錠２は施錠制御信号に従ってデッドボルト１１を外部へ突き出させ、扉８を施錠する。一方、屋内にいる者が、操作盤７の操作スイッチを押し、扉８を解錠する旨の指示を入力すると、操作盤７は解錠指令を制御部３に送信し、制御部３は解錠制御信号を電気錠２に出力し、電気錠２は解錠制御信号に従ってデッドボルト１１を内部へ引き込み、扉８を解錠する。
【００３１】
次に、屋外からの施解錠動作について説明すると、屋外にいる者が、鍵として機能するＩＣカードをカードリーダユニット６のカードリーダに接近させ、または接触させると、カードリーダユニット６は、扉８の施解錠状態に応じて施錠指令または解錠指令を制御部３に送信する。施錠指令または解錠指令を受信した制御部３は施錠制御信号または解錠制御信号を電気錠２に出力し、電気錠２は施錠制御信号または解錠制御信号に従って扉８を施錠または解錠する。
【００３２】
図２は、制御部３と操作盤７との間における基本的な通信動作を示している。図２に示すように、制御部３と操作盤７とは、操作盤７が制御部３へ問い合わせ信号を送信し、これに応じて、制御部３が操作盤７へ返答信号を送信するといった双方向通信を、例えばおよそ０．５秒ないし１秒の短い間隔Ｔで定期的に常時行っている。操作盤７から制御部３へ送るべき指令その他の情報があるときには、操作盤７は、問い合わせ信号に、当該送るべき指令その他の情報を付加して制御部３に送信する。また、制御部３から操作盤７へ送るべき指令その他の情報があるときには、制御部３は、返答信号に、当該送るべき指令その他の情報を付加して操作盤７に送信する。
【００３３】
ここで、操作盤７から制御部３へ送信される指令には、特定指令と、特定指令でない指令とがある。以下、特定指令と特定指令でない指令とを識別して説明する必要がある場合には、特定指令でない指令を「通常指令」という。
【００３４】
電気錠システム１では、電気錠２を解錠動作させるための解錠指令を特定指令として扱うように設定されている。そこで、これより、特定指令の具体例として解除指令をあげ、操作盤７から制御部３へ特定指令を送信する際の動作について説明する。
【００３５】
すなわち、電気錠システム２の稼働時には、制御部３のメモリ１６と操作盤７のメモリ３２には同一の機器認証コードが記憶されている。図２に示すように、操作盤７から制御部３へ解錠指令を送るときには、操作盤７は、解錠指令にメモリ３２に記憶された機器認証コードを付加して機器認証コード付き指令を生成し、この機器認証コード付き指令を問い合わせ信号に付加して制御部３に送信する。そして、問い合わせ信号と共に機器認証コード付き指令を受信した制御部３は、当該機器認証コード付き指令における解錠指令に付加された機器認証コードと、制御部３のメモリ１６に記憶された機器認証コードとを比較する照合処理を行う。この結果、両者が一致したとき、制御部３は、当該機器認証コード付き指令における解錠指令を受け入れ、操作盤７へ返答信号を送信し、続いて、当該解錠指令に従って、電気錠２を解錠動作させる制御処理を行う。一方、制御部３における照合処理の結果、操作盤７から受信した機器認証コード付き指令における解錠指令に付加された機器認証コードと、制御部３のメモリ１６に記憶された機器認証コードとが一致しないとき、制御部３は、当該機器認証コード付き指令における解錠指令の受け入れを拒絶する。この場合、制御部３は、操作盤７へ返答信号を送信するも、電気錠２を解錠動作させる制御処理は行わない。また、機器認証コードが付加されていない解錠指令を操作盤７から受信した場合にも、制御部３は当該解除指令の受け入れを拒絶する。
【００３６】
また、電気錠システム１では、電気錠２を施錠動作させるための施錠指令を通常指令として扱うように設定されている。そこで、これより、通常指令の具体例として施錠指令をあげ、操作盤７から制御部３へ通常指令を送信する際の動作について説明する。
【００３７】
すなわち、操作盤７から制御部３へ施錠指令を送信するときには、操作盤７は、問い合わせ信号に施錠指令を付加して制御部３に送信する。そして、問い合わせ信号と共に施錠指令を受信した制御部３は、照合処理を行うことなく、施錠指令を受け入れ、操作盤７へ返答信号を送信すると共に、当該施錠指令に従って電気錠２を施錠動作させる制御処理を行う。
【００３８】
図３は、制御部３と操作盤７との間における機器認証コードの設定・更新処理を示している。図３に示すように、建造物への電気錠システム１の導入を行っている作業員、または電気錠システム１が導入された建造物の部屋の利用者等が、扉８を解錠すべく操作盤７の操作スイッチを押すと、操作盤７から制御部３へ、機器認証コードが付加された解錠指令が送信され、制御部３がこれを受信して照合処理を行い、この機器認証コードが真正である場合には、電気錠２を解錠動作させ、扉８を解錠する。その後、作業員または利用者等により扉８が開けられる（図３中のＳ１）。制御部３の施解錠センサ１９および扉開閉センサ２０は、このような電気錠２の解錠動作および扉８の開扉を検出する。そして、カウンタ２１は、施解錠センサ１９および扉開閉センサ２０の検出結果に基づき、電気錠２の解錠動作が行われると共に扉８が開扉されたことをカウントする。制御部３のＣＰＵ１５は、カウンタ２１のカウント値が１増加したことを検出することにより、電気錠２の解錠動作および扉８の開扉を認識する（Ｓ２）。
【００３９】
電気錠２の解錠動作および扉８の開扉を認識したとき、制御部３のＣＰＵ１５は、機器認証コードＣ１（例えば「ＡＢＣＤＡＢＣＤ」）を生成し、これをメモリ１６に記憶する（Ｓ３）。このとき、メモリ１６に機器認証コードが記憶されていないときには、機器認証コードＣ１はメモリ１６に新たに記憶され、メモリ１６に既に機器認証コードが記憶されているときには、その既に記憶されている機器認証コードが機器認証コードＣ１に書き換えられる。そして、制御部３のＣＰＵ１５は、操作盤７から送信される問い合わせ信号を待つ。
【００４０】
操作盤７が問い合わせ信号を送信すると、制御部３は、問い合わせ信号を受信し、続いて、返答信号に、メモリ１６に記憶された機器認証コードＣ１を付加し、これら返答信号および機器認証コードＣ１を操作盤７へ送信する（Ｓ４）。
【００４１】
続いて、操作盤７は、制御部３から送信された返答信号および機器認証コードＣ１を受信し、この受信した機器認証コードＣ１をメモリ３２に記憶する（Ｓ５）。このとき、メモリ３２に機器認証コードが記憶されていないときには、機器認証コードＣ１はメモリ３２に新たに記憶され、メモリ３２に既に機器認証コードが記憶されているときには、その既に記憶されている機器認証コードが機器認証コードＣ１に書き換えられる。
【００４２】
その後、作業者または利用者等が扉８を閉め、電気錠２を施錠動作させ、扉８を施錠し（Ｓ６）、さらにその後、利用者等が上述したように操作盤７の操作スイッチを操作して、電気錠２を解錠動作させ、扉８を解錠し、扉８を開けたとする（Ｓ７）。この場合、制御部３の施解錠センサ１９および扉開閉センサ２０は、この電気錠２の解錠動作および扉８の開扉を検出し、カウンタ２１は、電気錠２の解錠動作が行われると共に扉８が開扉されたことをカウントする。そして、制御部３のＣＰＵ１５は、カウンタ２１のカウント値が１増加したことを検出することにより、電気錠２の解錠動作および扉８の開扉を認識する（Ｓ８）。
【００４３】
この電気錠２の解錠動作および扉８の開扉を認識したとき、制御部３のＣＰＵ１５は、機器認証コードＣ２（例えば「ＤＣＢＡＤＣＢＡ」）を生成する。機器認証コードＣ２は、機器認証コードＣ１と異なるコードである。そして、ＣＰＵ１５は、機器認証コードＣ２をメモリ１６に記憶する（Ｓ９）。これにより、メモリ１６に既に記憶されている機器認証コードＣ１が機器認証コードＣ２に書き換えられる。そして、制御部３のＣＰＵ１５は、操作盤７から送信される問い合わせ信号を待つ。
【００４４】
操作盤７が問い合わせ信号を送信すると、制御部３は、問い合わせ信号を受信し、続いて、返答信号に、メモリ１６に記憶された機器認証コードＣ２を付加し、これら返答信号および機器認証コードＣ２を操作盤７へ送信する（Ｓ１０）。
【００４５】
続いて、操作盤７は、制御部３から送信された返答信号および機器認証コードＣ２を受信し、この受信した機器認証コードＣ２をメモリ３２に記憶する（Ｓ１１）。これにより、メモリ１６に既に記憶されている機器認証コードＣ１が機器認証コードＣ２に書き換えられる。
【００４６】
その後、利用者等が扉８を閉め、電気錠２を施錠動作させ、扉８を施錠し（Ｓ１２）、さらにその後、利用者等が上述したように操作盤７の操作スイッチを操作して、電気錠２を解錠動作させ、扉８を解錠し、扉８を開けると、制御部３のＣＰＵ１５は再び新しい機器認証コードを生成し、これをメモリ１６に記憶し、この新しい機器認証コードを操作盤７に送信し、操作盤７は、この新しい機器認証コードを受信してメモリ３２に記憶する。
【００４７】
このように、電気錠２の解錠動作および扉８の開扉が行われる度に、制御部３によって新しい機器認証コードが生成され、制御部３のメモリ１６および操作盤７のメモリ３２にそれぞれ記憶された機器認証コードが新しい機器認証コードに書き換えられる。このとき、制御部３は常に前回生成した機器認証コードと異なる機器認証コードを生成するので、電気錠２の解錠動作および扉８の開扉が行われる度に、制御部３のメモリ１６および操作盤７のメモリ３２にそれぞれ記憶された機器認証コードが変更（更新）される。この結果、電気錠２の解錠動作および扉８の開扉が行われる度に、操作盤７から制御部３に送信される特定指令（例えば解除指令）に付加される機器認証コードが変化する。また、例えば、建造物の部屋に設けられた扉８の施錠を行うために電気錠システム１を新たに導入し、その電気錠システム１の稼働を開始した際には、作業員が機器認証コードを設定するための特別な手動操作をしなくても、作業者または利用者等が、電気錠２を解錠動作させて扉８を開ければ、機器認証コードが自動的に生成されて制御部３のメモリ１６に自動的に記憶されると共に、その機器認証コードが自動的に操作盤７に送信されて操作盤７のメモリ３２に自動的に記憶される。すなわち、作業者または利用者等が電気錠２を解錠動作させて扉８を開けるだけで、機器認証コードの設定が自動的に行われる。
【００４８】
以上説明した通り、本発明の実施形態による電気錠システム１によれば、電気錠２の解錠動作が行われて扉８が開けられるといった日常的に通常行われる動作が行われたときに、機器認証コードの設定が自動的に行われる。したがって、機器認証コードを設定するための特別な手動操作が不要となり、作業者が機器認証コードの設定をし忘れたことによって機器認証コードが未設定まま放置されることもなくなり、機器認証コードが未設定であるために電気錠システム１が正常に動作しないといった不都合もなくなる。
【００４９】
また、本発明の実施形態による電気錠システム１によれば、電気錠２の解錠動作が行われて扉８が開けられる度に、機器認証コードが自動的に更新され、操作盤７および制御部３間の機器認証に用いられる機器認証コードが変更される。これにより、たとえ機器認証コードが過去に不正に取得されたとしても、当該不正取得された機器認証コードが用いられて電気錠が不正解錠されることを抑制することができる。例えば、制御部３および操作盤７間を接続しているケーブル９に外部機器を接続し、制御部３および操作盤７間で通信される機器認証コードＣ１（図３参照）を当該外部機器により不正に取得し、その不正取得した機器認証コードＣ１を利用して制御部３を制御して電気錠２を不正に解錠動作させようとしても、一度、電気錠２の解錠動作および扉８の開扉が行われ、機器認証コードがＣ１からＣ２に変更されてしまうと、もはや、不正取得した機器認証コードＣ１を利用して制御部３を制御して電気錠２を不正に解錠動作させることはできなくなる。このように、電気錠システム１によれば不正解錠を効果的に抑制でき、セキュリティを向上させることができる。
【００５０】
また、本発明の実施形態による電気錠システム１では、操作盤７から制御部３に送信される指令のうち、特定指令にのみ機器認証コードを付加し、通常指令には機器認証コードを付加しない。また、制御部３から操作盤７に送信される指令についても、同様に、特定指令にのみ機器認証コードを付加し、通常指令には機器認証コードを付加しない構成を採用することができる。さらに、操作盤７から制御部３に送信される解錠指令のみを特定指令とし、それ以外の制御部３および操作盤７間で通信される指令をすべて通常指令とすることにより、制御部３および操作盤７間で機器認証コードが通信される頻度を減らすことができ、機器認証コードが不正に取得されて外部に漏洩するのを抑制することができる。
【００５１】
なお、図２および図３に示す制御部３と操作盤７との間における通信方法は、制御部３とカードリーダユニット６との間における通信方法にも適用することができる。この場合、カードリーダユニット６が操作部の具体例となる。さらに、屋外から扉８の施解錠を操作する装置は、カードリーダユニット６に限らない。例えば、指紋、網膜、声紋等の人体の特徴を認証する生体認証（バイオメトリクス認証）を行って施解錠指令を出力する生体認証ユニット、特定の情報が含まれる電波を携帯端末等から受信して施解錠指令を出力する無線通信ユニット、テンキーを備え、真正な暗証番号がテンキーによって入力されたときに施解錠指令を出力するテンキー入力ユニット等の他のユニットを操作部として、カードリーダユニット６に代えて適用することも可能である。そして、このような他のユニットを適用した場合にも、当該他のユニットと制御部３との間における通信に、図２および図３に示す制御部３と操作盤７との間における通信方法と同様の方法を適用することができる。
【００５２】
また、電気錠２の解錠動作の検出および扉８の開扉の検出は、種々の周知の方法を用いることができる。また、上述した実施形態では、制御部３のＣＰＵ１５がカウンタ２１のカウント値の増加を検出することにより、電気錠２の解錠動作および扉８の開扉を認識しているが、施解錠センサ１９および扉開閉センサ２０から出力される検出信号の変化をＣＰＵ１５が直接読み取ることにより、電気錠２の解錠動作および扉８の開扉を認識する等、他の方法を採用することも可能である。
【００５３】
また、電気錠ユニット５やカードリーダユニット６は必ずしも扉８に取り付けなくてもよい。また、本発明は、電気錠２と制御部３とをユニット化しないタイプの電気錠システムにも適用することができる。また、本発明は、屋外から扉の施解錠を行う際に、シリンダに鍵を挿入して行うタイプの電気錠システムにも適用することができる。
【００５４】
また、本発明は、請求の範囲および明細書全体から読み取ることのできる発明の要旨または思想に反しない範囲で適宜変更可能であり、そのような変更を伴う電気錠システムもまた本発明の技術思想に含まれる。
【符号の説明】
【００５５】
１  電気錠システム
２  電気錠
３  制御部
７  操作盤（操作部）
８  扉
１５  ＣＰＵ（制御処理手段、コード変更手段、コード送信手段）
１６  メモリ（第２の記憶手段）
１９  施解錠センサ（検出手段）
２０  扉開閉センサ（検出手段）
３１  ＣＰＵ（指令送信手段、コード受信手段）
３２  メモリ（第１の記憶手段）
【図１】
2011196076.tif 000003
【図２】
2011196076.tif 000004
【図３】
2011196076.tif 000005